(57)【特許請求の範囲】
【請求項１】
電子部品を搭載した本体部材と少なくとも入力部を有する入力部材とを互いに対応する一端部において回動可能に連結し、且つ少なくとも表示部を有する表示部材を前記本体部材にスライド可能に取り付けると共にその一端部を前記入力部材に連結して、前記本体部材に対し前記入力部材を回動させて閉じたときには、前記入力部材が前記表示部材上に重なると共に前記表示部材が前記本体部材上に重なり、前記本体部材に対し前記入力部材を回動させて開いたときには、前記表示部材が前記本体部材上をスライドして、閉じたときに前記表示部材により覆われていた前記本体部材の一部が露出するように構成し、且つ、
前記入力部材に通話用のマイク部を設けると共に、前記本体部材の前記露出する部分に通話用のスピーカ部を設けたことを特徴とする電子機器。
【請求項２】
前記本体部材に対し前記入力部材が開いたときに、前記表示部材の前記一端部が前記本体部材に対して持ち上げられ、前記本体部材の表面から離れることを特徴とする請求項１に記載の電子機器。
【請求項３】
前記入力部材は、前記表示部材がスライドする方向の長さが前記表示部材よりも短く、前記本体部材に対し前記入力部材を回動させて閉じたときに、前記表示部はその一部が露出した状態となることを特徴とする請求項１または２に記載の電子機器。
【請求項４】
前記本体部材の前記露出する部分には、更にカメラ部が設けられていることを特徴とする請求項１乃至３の何れか一項に記載の電子機器。
【発明の詳細な説明】
【０００１】
【発明の属する技術分野】
この発明は、携帯電話機や携帯端末機などの電子機器に関する。
【０００２】
【従来の技術】
例えば、携帯電話機の分野においては、データ伝送能力および多機能化が著しく向上しており、これに伴って携帯電話機を音声通話などの端末機として用いるだけでなく、データ通信機能、カメラ機能、ＧＰＳ（グローバル・ポジション・システム）機能、放送用電波の受信機能などの多くの機能を搭載し、広く通信を行う端末機として利用する動きがある。
このような携帯電話機などの電子機器では、多くの電子部品を搭載すると、機器全体が大型化し、携帯に不便になるため、機器本体を折り畳み式に構成して、機器全体のコンパクト化を図っている。
【０００３】
【発明が解決しようとする課題】
しかしながら、このような折り畳み式の電子機器では、表示部をできるだけ広い面積で設けることにより、表示部を見やすくする必要があるほか、多機能化を図るために多くの電子部品を搭載しなければならないため、表示部が電子部品によって制約を受け、表示部を十分に広い面積で設けることができず、また逆に表示部を大きくすると、多くの電子部品を搭載することができなくなるという問題がある。
【０００４】
この発明の課題は、表示部が小さくならず、多くの電子部品を搭載して多機能化を図ることができると共に、機器全体のコンパクト化をも図ることができる電子機器を提供することである。
【０００５】
【課題を解決するための手段】
請求項１記載の発明は、電子機器に関し、電子部品を搭載した本体部材と少なくとも入力部を有する入力部材とを互いに対応する一端部において回動可能に連結し、且つ少なくとも表示部を有する表示部材を前記本体部材にスライド可能に取り付けると共にその一端部を前記入力部材に連結して、前記本体部材に対し前記入力部材を回動させて閉じたときには、前記入力部材が前記表示部材上に重なると共に前記表示部材が前記本体部材上に重なり、前記本体部材に対し前記入力部材を回動させて開いたときには、前記表示部材が前記本体部材上をスライドして、閉じたときに前記表示部材により覆われていた前記本体部材の一部が露出するように構成し、且つ、前記入力部材に通話用のマイク部を設けると共に、前記本体部材の前記露出する部分に通話用のスピーカ部を設けたことを特徴とする。
【０００６】
この発明によれば、本体部材に対し入力部材を回動させて閉じると、入力部材が表示部材上に重なると共に表示部材が本体部材上に重なるので、機器全体がコンパクトになり、良好に携帯することができ、また本体部材に対し入力部材を回動させて開くと、表示部材が本体部材上をスライドして、閉じたときに前記表示部材により覆われていた本体部材の一部が、より具体的には、通話用のスピーカ部が設けられている部分が露出するので、当該スピーカ部と前記入力部材に設けられた通話用のマイク部とを用いて音声通話を行うことができると共に、表示部を表示部材のほぼ全域に設けることができ、これにより表示部を小さくせずに、本体部材に多くの電子部品を搭載して多機能化を図ることができる。
【０００７】
請求項２記載の発明は、請求項１に記載の電子機器において、前記本体部材に対し前記入力部材が開いたときに、前記表示部材の前記一端部が前記本体部材に対して持ち上げられ、前記本体部材の表面から離れることを特徴とする。
請求項３記載の発明は、請求項１または２に記載の電子機器において、前記入力部材は、前記表示部材がスライドする方向の長さが前記表示部材よりも短く、前記本体部材に対し前記入力部材を回動させて閉じたときに、前記表示部はその一部が露出した状態となることを特徴とする。
請求項４記載の発明は、請求項１乃至３の何れか一項に記載の電子機器において、前記本体部材の前記露出する部分には、更にカメラ部が設けられていることを特徴とする。
【０００８】
【発明の実施の形態】
以下、図１〜図９を参照して、この発明を携帯電話機に適用した一実施形態について説明する。
図１はこの発明の携帯電話機の携帯時における正面図、図２はその右側面図、図３はその背面図、図４は図１の上辺側から見た側面図、図５は図１のＡ−Ａ矢視における拡大断面図、図６は図１の携帯電話機の使用時における正面図、図７はその右側面図、図８は図６のＢ−Ｂ矢視における拡大断面図、図９は図６のＣ−Ｃ矢視におけるカメラ部の拡大断面図である。
【０００９】
この携帯電話機は、図１および図６に示すように、本体ケース１と、この本体ケース１に折り畳み可能に取り付けられた入力ケース２と、この入力ケース２における本体ケース１に対向する対向面側に一端部が連結されて本体ケース１に対しスライドする表示ケース３とを備え、図２に示すように、本体ケース１上に表示ケース３が重なり、この表示ケース３上に入力ケース２が開閉可能に重なるように構成されている。
【００１０】
本体ケース１は、図１〜図３に示すように、ほぼ手の平サイズの平板状に形成されている。この本体ケース１の上辺側に位置する上端部１ａには、図６に示すように、スピーカ部４、カメラ部５、アンテナ６、およびストラップホルダ７が設けられており、本体ケース１の裏面には、図３に示すように、電池蓋８がロック部８ａにより着脱可能に取り付けられいる。また、本体ケース１の内部には、図５に示すように回路基板９が設けられているほか、電池１０が電池蓋８に対応して収納されている。
【００１１】
この場合、アンテナ６は、図３に示すように、本体ケース１の上端部１ａから上方に向けて出没可能に設けられており、ストラップホルダ７は、本体ケース１の上端部１ａから上方に突出して設けられている。スピーカ部４は、図６に示すように、本体ケース１の上端部１ａにおける正面に設けられた放音孔４ａと、この放音孔４ａに対応する本体ケース１内の回路基板９に設けられたスピーカ４ｂとからなっている。カメラ部５は、図６に示すように、本体ケース１の上端部１ａに設けられた切欠凹部１１に回転可能に配置されている。
【００１２】
すなわち、このカメラ部５は、本体ケース１の切欠凹部１１内に配置されるカメラケース１２を備えている。このカメラケース１２内には、図９に示すように、カメラ基板１３およびこのカメラ基板１３に搭載されたＣＣＤなどの撮像素子１４が設けられており、カメラケース１２の正面（図９では下側面）には、レンズ１５が設けられている。これにより、このカメラ部５は、レンズ１５で被写体の画像を撮像素子１４に投影し、この投影された画像を撮像素子１４で電気信号に変換して出力するように構成されている。
【００１３】
また、このカメラケース１２は、図９に示すように、切欠凹部１１の側面とこれに対面するカメラケース１２の側面とが回転筒軸１６により、切欠凹部１１内において上下方向に回転可能に取り付けられている。これにより、カメラケース１２は、１８０°回転すると、レンズ１５の向きが本体ケース１に対し表裏反転するように構成されている。さらに、このカメラ部５は、カメラ基板１３に接続された第１接続ケーブル１７が回転筒軸１６を通して本体ケース１内に導かれ、この導かれた第１接続ケーブル１７が回路基板９に接続されることにより、本体ケース１内の回路基板９と電気的に接続されている。
【００１４】
入力ケース２は、図１および図６に示すように、本体ケース１の縦方向の長さよりも少し短い平板状に形成されているが、本体ケース１とほぼ同じサイズに形成されていても良い。この入力ケース２は、図５および図８に示すように、その一端部２ａ（図５では下端部）がヒンジ部１８により本体ケース１の下端部１ｂに回動可能に取り付けられている。このヒンジ部１８は、図１および図５に示すように、入力ケース２の一端部２ａの両側に設けられた一対の入力筒軸１８ａと、本体ケース１の下端部１ｂに設けられて一対の入力筒軸１８ａ間に回転可能に取り付けられた本体筒軸１８ｂとからなり、この本体筒軸１８ｂを中心に入力筒軸１８ａが回転することにより、本体ケース１に対し入力ケース２が相対的に回動して開閉するように構成されている。
【００１５】
また、この入力ケース２には、図６に示すように、入力キー部１９およびマイク部２０が表示ケース３に対面して設けられている。この入力キー部１９は、ダイヤルキー、電源キー、通話キーなどの各種のキーを備えたものであり、図５および図８に示すように、入力ケース２内に配置された入力基板２１上にゴムシート２２を設けた構造になっている。
ゴムシート２２は、弾性変形可能なドーム状のキー釦部２３が複数形成されている。これら各キー釦部２３は、各種のキーに相当するものであり、その各上端部（図８では左端部）が入力ケース２の内側面（同図では左側面）に設けられた各孔部から外部に突出し、その内部にそれぞれ可動接点が設けられている。
【００１６】
入力基板２１には、固定接点がそれぞれ各キー釦部２３の可動接点に離間対向して設けられている。これにより、入力キー部１９は、キー釦部２３が外部から押圧操作されると、キー釦部２３が弾性変形して可動接点が固定接点に接触することにより、電気信号を出力するように構成されている。
また、この入力キー部１９は、入力基板２１に接続された第２接続ケーブル２４がヒンジ部１８の入力筒軸１８ａ内および本体筒軸１８ｂ内を通して本体ケース１内に導かれ、この導かれた第２接続ケーブル２４が回路基板９に接続されることにより、本体ケース１内の回路基板９と電気的に接続されている。
【００１７】
表示ケース３は、図５に示すように、本体ケース１の正面（同図では左側面）に重なり合うほぼ同じサイズの大きさで、下面側が開放され、且つ本体ケース１の厚みよりも薄い平板状に形成されている。この表示ケース３の正面には、図６および図８に示すように、開口部３ａがほぼ全域に亘って設けられている。この表示ケース３の内部には、図５および図８に示すように、表示基板２５が設けられていると共に、この表示基板２５上に表示部２６が開口部３ａに対応して設けられている。
【００１８】
表示部２６は、液晶表示パネルやＥＬ（エレクトロルミネッセンス）表示パネルなどの平面型の表示パネルからなり、予め登録された電話番号や、入力された文章、カメラ部５で撮影した画像などの情報を選択的に表示するように構成されている。この表示部２６は、表示基板２５に接続された第３ケーブル２７が本体ケース１の正面に設けられたスリット状の挿入孔２８を通して本体ケース１内に導かれ、この導かれた第３接続ケーブル２７が回路基板９に接続されることにより、本体ケース１内の回路基板９と電気的に接続されている。
【００１９】
また、この表示ケース３は、図５および図８に示すように、その下端部が入力ケース２の一端部２ａ側における内面、つまり表示ケース３に対向する対向面に設けられた連結部２９に軸３０により回動可能に連結されていると共に、表示ケース３の両側部に設けられたガイド部３１により表示ケース３の上端部側が本体ケース１上をスライドするように構成されている。この連結部２９は、図５に示すように、入力ケース２が閉じられた状態で、ヒンジ部１８よりも上部側に位置して表示ケース３の表示面側に向けて突出し、この突出した部分が表示ケース３の下端部に軸３０により回動可能に取り付けられている。
【００２０】
また、この連結部２９は、図８に示すように、入力ケース２が開いたときに、ヒンジ部１８を中心に回動してヒンジ部１８の下部側に移動し、これにより表示ケース３の下端部を本体ケース１から持ち上げて、表示ケース３を本体ケース１の下側に向けて移動させるように構成されている。
また、ガイド部３１は、図３および図８に示すように、表示ケース３の両側部から本体ケース１の両側面に沿って突出して形成され、これにより表示ケース３を本体ケース１の正面に沿って上下方向にスライド可能にガイドするものであり、その上部側の内面にガイドピン３２が設けられ、このガイドピン３２が本体ケース１の両側面に設けられたガイド溝３３内を移動することにより、表示ケース３の上端部側が本体ケース１から離脱しないように構成されている。
【００２１】
次に、このような携帯電話機の使用形態について説明する。
この携帯電話機を携帯する場合には、図１〜図５に示すように、ヒンジ部１８を中心に入力ケース２を回動させて閉じる。すると、図５に示すように、入力ケース２の入力キー部１９が表示ケース３の表示部２６に対面した状態で、入力ケース２が表示ケース３に重なり、この表示ケース３が本体ケース１に重なり合う。この状態では、表示ケース３よりも入力ケース２のサイズが小さいため、入力ケース２が表示ケース３に重なっても、表示部２６の上部側が露出する。しかして、この露出した部分には、例えば電波の感度情報が表示されていて、電源が投入されている事が分かる様になっており、また、相手からの呼び出しを受信した時には、相手の電話番号等が表示されるようになっている。また、表示ケース３と本体ケース１とはほぼ同じサイズであるから、本体ケース１が表示ケース３の側方に突出することなく、両者が互いに重なり合う。このため、この状態では、携帯電話機全体がコンパクトになり、良好に携帯することができる。
【００２２】
また、この携帯電話機で通話する場合には、図６〜図８に示すように、ヒンジ部１８を中心に入力ケース２を回動させて開く。すると、図６に示すように、入力ケース２の入力キー部１９およびマイク部２０と表示ケース３の表示部２６とが正面側に露出する。このときには、入力ケース２の連結部２９がヒンジ部１８を中心に上部側から下部側に回動移動するので、連結部２９に連結された表示ケース３の下端部も、連結部２９と共にヒンジ部１８を中心に上部側から下部側に回動移動する。これと同時に、表示ケース３の上端部側がガイド部３１によりガイドされて本体ケース１の正面上を下方に向けてスライドする。これにより、表示ケース３が下側に移動するので、図６に示すように、本体ケース１の上端部１ａが表示ケース３の上部側面から上方に突出し、本体ケース１の上端部１ａに設けられたスピーカ部４およびカメラ部５が露出する。
【００２３】
この状態で、アンテナ６を引き出して入力キー１９の各キー釦部２３を操作することにより、露出したスピーカ部４およびマイク部２０で音声の入出力ができるので、音声通話ができると共に、入力キー部１９で入力された文章などのデータを通信することができる。このときには、表示ケース３の下端部が入力ケース２の連結部２９により本体ケース１に対して持ち上げられているので、本体ケース１に対し表示ケース３が傾斜し、これに伴って表示部２６も傾斜するため、入力キー部１９で文章などのデータを入力するときに、表示部２６を見やすくすることができる。
【００２４】
また、この状態では、図６に示すように、カメラ部５が本体ケース１の正面側に露出しているので、このカメラ部５で撮影することができ、且つ撮影した画像を表示部２６に表示させたり、その画像のデータを通信することもできる。このときには、カメラ部５のレンズ１５を本体ケース１の正面側に向ければ、表示部２６を見ながら使用者自身を撮影することができ、このためテレビ電話として使用することができる。また、カメラ部５の回転筒軸１６を中心にカメラケース１２を１８０°回転させて、レンズ１５を本体ケース１に対し表裏反転させれば、表示部２６を見ながら使用者が他の人などの被写体を撮影することができる。
【００２５】
このように、この携帯電話機によれば、本体ケース１に対し入力ケース２を回動させて閉じると、入力ケース２が表示ケース３に重なると共に表示ケース３が本体ケース１に重なり合うので、電話機全体がコンパクトになり、良好に携帯することができる。また、本体ケース１に対し入力ケース２を回動させて開くと、表示ケース３が本体ケース１に対しスライドして本体ケース１の上端部１ａが表示ケース３の上側から突出するので、その分、本体ケース１を大きく形成することができる。このため、本体ケース１にスピーカ部４およびカメラ部５などの多くの電子部品を搭載することができる共に、表示部２６を表示ケース３のほぼ全域に設けることができ、これにより表示部２６を小さくせずに、本体ケース１に多くの電子部品を搭載して多機能化を図ることができる。
【００２６】
なお、上記実施形態では、電子機器として携帯電話機に適用した場合について述べたが、これに限らず、入力部と表示部を備えた携帯端末機、例えば、ハンディターミナル、ＰＤＡ（パーソナル・デジタル・アシスタント）、デジタルカメラ、携帯テレビ、テレビ電話機などに適用することができる。
【００２７】
【発明の効果】
以上説明したように、この発明によれば、電子部品を搭載した本体部材と少なくとも入力部を有する入力部材とを互いに対応する一端部において回動可能に連結し、且つ少なくとも表示部を有する表示部材を前記本体部材にスライド可能に取り付けると共にその一端部を前記入力部材に連結して、本体部材に対し入力部材を回動させて閉じると、入力部材が表示部材上に重なると共に表示部材が本体部材上に重なるようにしているので、機器全体がコンパクトになり、良好に携帯することができ、また本体部材に対し入力部材を回動させて開くと、表示部材が本体部材上をスライドして、閉じたときに前記表示部材により覆われていた本体部材の一部が、より具体的には、通話用のスピーカ部が設けられている部分が露出するようにしているので、当該スピーカ部と前記入力部材に設けられた通話用のマイク部とを用いて音声通話を行うことができ、また、表示部を表示部材のほぼ全域に設けることができるので、表示部を小さくせずに、本体部材に多くの電子部品を搭載して多機能化を図ることができる。
【図面の簡単な説明】
【図１】この発明の携帯電話機の携帯時における正面図。
【図２】図１の右側面図。
【図３】図１の背面図。
【図４】図１の上辺側から見た側面図。
【図５】図１のＡ−Ａ矢視における拡大断面図。
【図６】図１の携帯電話機の使用時における正面図。
【図７】図６の右側面図。
【図８】図６のＢ−Ｂ矢視における拡大断面図。
【図９】図６のＣ−Ｃ矢視におけるカメラ部の拡大断面図。
【符号の説明】
１  本体ケース
１ａ  本体ケースの上端部
１ｂ  本体ケースの下端部
２  入力ケース
２ａ  入力ケースの一端部
３  表示ケース
４  スピーカ部
５  カメラ部
６  アンテナ
９  回路基板
１０  電池
１８  ヒンジ部
１９  入力キー部
２０  マイク部
２６  表示部
２９  連結部
３０  軸
３１  ガイド部
【図１】
0004239441.tif 000002
【図２】
0004239441.tif 000003
【図３】
0004239441.tif 000004
【図４】
0004239441.tif 000005
【図５】
0004239441.tif 000006
【図６】
0004239441.tif 000007
【図７】
0004239441.tif 000008
【図８】
0004239441.tif 000009
【図９】
0004239441.tif 000010